(57)【特許請求の範囲】
【請求項１】
相対するＨ型支柱(2)の溝(3)に遮音板(4)を嵌め込んで積層する型式の遮音壁(1)において、
該遮音板(4)は、下側に配置される面(44)に壁面(10)と同方向に伸びるワイヤー溝(5)を有し、
該Ｈ型支柱(2)は該ワイヤー溝(5)に対応する位置でウェブ(21)を貫通する挿通孔(6)を有し、
該ワイヤー溝(5)及び該挿通孔(6)にワイヤー(7) が挿通されていることを特徴とする遮音壁(1)。
【請求項２】
最上段に配置されている遮音板(4a)が、該ワイヤー溝(5)を有する遮音板である請求項１に記載の遮音壁。
【請求項３】
該最上段に配置されている遮音板(4a)が、該Ｈ型支柱(2)の溝(3)との嵌合部(45)に、該遮音板(4a)と該Ｈ型支柱(2)のフランジ(22)間の最大寸法より大きい外寸を有する折曲された板ばね(30)を有し、該板ばね(30)が弾性変形した状態で該遮音板(4a)が該フランジ(22)と圧着している請求項２に記載の遮音壁。
【請求項４】
該板ばね(30)はＶ字状で、相対向する一方の片(31)で該遮音板(4a)に固定され、他方の片(32)で該Ｈ型支柱(2)の該フランジ(22)に弾性接触するようになっている請求項３に記載の遮音壁。
【請求項５】
該遮音板(4)は、側方に配置される面(46,46)にワイヤー挿通部(8)を備え、該ワイヤー挿通部(8)に挿通された第２のワイヤー(9)を介して上下方向に積層された複数の該遮音板(4,4…)が連結されている請求項１〜４のいずれか一つの項に記載の遮音壁。
【請求項６】
該ワイヤー挿通部(8)はＩボルトである請求項５に記載の遮音壁。
【発明の詳細な説明】
【０００１】
【発明の属する技術分野】
本発明は、自動車交通騒音の減音対策として沿道に設置される遮音壁に関するものである。
【０００２】
【従来の技術】
従来、自動車交通騒音の減音対策として、相対するＨ型支柱の溝に遮音板を嵌め込んで積層する型式の遮音壁が、沿道に多く設置されている。
【０００３】
上記従来の遮音壁は、遮音板落下防止や支柱回転防止のため、その上端面に、支柱と支柱とを連結するワイヤーが配設され、更に、遮音壁の上部には、これらワイヤーの配設にかかる煩雑な構造を覆い隠すための笠木が取り付けられている。
【０００４】
【発明が解決しようとする課題】
しかし、上記従来の遮音壁によれば、台風等の悪天候時に、笠木が強風等であおられて落下し、通行人にけがを負わせたり通行車輌を破損したりする危険性があった。
【０００５】
そこで、本発明は、笠木等の落下する危険性のある付属物を取り付けることなく、遮音板落下防止と支柱回転防止とを図ることのできる遮音壁を提供することを目的とする。
【０００６】
【課題を解決するための手段】
本発明に係る遮音壁は、相対するＨ型支柱の溝に遮音板を嵌め込んで積層する型式の遮音壁において、該遮音板は、下側に配置される面に壁面と同方向に伸びるワイヤー溝を有し、該Ｈ型支柱は該ワイヤー溝に対応する位置でウェブを貫通する挿通孔を有し、該ワイヤー溝及び該挿通孔にワイヤーが挿通されていることを特徴とする。
【０００７】
この遮音壁によれば、ワイヤー溝と挿通孔により遮音壁内部に形成された空間にワイヤーが配設されるので、このワイヤーを覆い隠すための付属品を遮音壁外部に取り付けることなく、遮音板落下防止と支柱回転防止を図ることができる。
【０００８】
最上段に配置されている遮音板が、該ワイヤー溝を有する遮音板であってももよい。
この場合、既に設置されている、笠木が取り付けられている従来の遮音壁において、最上段の遮音板を取り替えるだけで、笠木を取り付けることなく、遮音板落下防止と支柱回転防止を図ることができる。
【０００９】
該最上段に配置されている遮音板が、該Ｈ型支柱の溝との嵌合部に、該遮音板と該Ｈ型支柱のフランジ間の最大寸法より大きい外寸を有する折曲された板ばねを有し、該板ばねが弾性変形した状態で該遮音板が該フランジと圧着していてもよい。
この場合、遮音板の設置状態を安定させて、落下防止機能を高めることができる。
【００１０】
該板ばねはＶ字状で、相対向する一方の片で該遮音板に固定され、他方の片で該Ｈ型支柱の該フランジに弾性接触するようになっていてもよい。
この場合、板ばねを遮音板に容易に取り付けることができるとともに、遮音板をＨ型支柱の溝に嵌め込む際の板ばねの引っかかりを防止できるので、遮音板の設置作業性が向上する。
【００１１】
該遮音板は、側方に配置される面にワイヤー挿通部を備え、該ワイヤー挿通部に挿通された第２のワイヤーを介して上下方向に積層された複数の該遮音板が連結されていてもよい。
この場合、上下方向の遮音板を連結して一体とすることで、遮音板の設置状態を安定させて、遮音板の落下防止機能を高めることができる。
【００１２】
該ワイヤー挿通部はＩボルトであってもよい。
この場合、遮音板にねじ込むだけで挿通部を簡単に設けることができる。
【００１３】
【発明実施の形態】
図１〜図３に、本発明にかかる遮音壁の具体例を示す。図１は遮音壁の最上段及び２段目に配置された遮音板を示す斜視図である。図２は最上段に配置された遮音板の縦断面図である。図３は遮音壁の側面図である。
【００１４】
遮音壁１は、相対するＨ型支柱２の溝３に遮音板４が嵌め込まれて積層されている。
なお、図１において、遮音壁１は想像線で示すように連続しているが、Ｈ型支柱２及び遮音板４の構造を明確にするため、遮音壁１の一部分のみが実線で示されている。また、遮音板４はＨ型支柱２の両方の溝３、３に嵌め込まれているが、図３においては、Ｈ型支柱２と遮音板４の構造を明確にするため、紙面手前側に嵌め込まれている遮音板４の図示が省略されている。
【００１５】
遮音板４は、箱状の外枠４１とその内部に充填された吸音体４２とからなり、道路側に配置され壁面１０を構成する面に吸音用のスリット４３が形成されている。そして、遮音壁１を構成する遮音板４のうち、最上段に配置されている遮音板４ａは、下側に配置される面４４に、壁面１０と同方向に伸びるワイヤー溝５を有している。
【００１６】
Ｈ型支柱２は、このワイヤー溝５に対応する位置でウェブ２１を貫通する挿通孔６を有しており、挿通孔６とワイヤー溝５とにワイヤー７が挿通されている。
【００１７】
この遮音壁１によれば、ワイヤー溝５と挿通孔６により遮音壁１内部に形成された空間にワイヤー７が配設されるので、このワイヤー７を覆い隠すための付属品を遮音壁１外部に取り付けることなく、遮音板４の落下防止と支柱２の回転防止を図ることができる。
【００１８】
なお、ワイヤー溝５を有する遮音板が配置される位置は最上段のみに限定されず、例えば、遮音壁を新設する場合には、複数段に設置してワイヤー７を複数本平行に配設し、遮音壁全体の強度を高めるようにしてもよい。しかし、遮音壁１の最上段に配置された遮音板４ａのみを、ワイヤー溝５を有する遮音板とすると、既に設置されている従来の遮音壁において、最上段の遮音板を取り替えるだけで、笠木を取り付けることなく、遮音板落下防止と支柱回転防止を図ることができる。
【００１９】
遮音板４は、側方に配置される面４６，４６に、複数のＩボルトがねじ込まれてなるワイヤー挿通部８が設けられている。そして、このワイヤー挿通部８に挿通された第２のワイヤー９を介して上下方向に積層された複数の遮音板４どうしが一体に連結されている。
【００２０】
こうすると、上下方向の遮音板を連結して一体とすることで、遮音板４の設置状態を安定させて、遮音板４の落下防止機能を高めることができる。
【００２１】
なお、ワイヤー挿通部８の形状に制限はないが、Ｉボルトとするこにより、遮音板にねじ込むだけで挿通部を簡単に設けることができる。
【００２２】
前記具体例において、最上段に配置された遮音板４ａに板ばね３０を取り付けた他の具体例を図４〜５に示す。なお、以下の説明において、前記具体例と実質的に同一の部分には同符号を付し、その説明を簡略又は省略するものとする。
【００２３】
この遮音板４ａ’は、Ｈ型支柱２の溝３との嵌合部４５に、遮音板４ａ’とＨ型支柱２のフランジ２２間の最大寸法より大きい外寸を有する折曲された板ばね３０を有している。図５に示すようにこの板ばね３０は、遮音板４ａ’がＨ型支柱２の溝３に嵌め込まれた状態において弾性変形し、遮音板４ａ’がフランジ２２に圧着するようになっている。
【００２４】
こうすると、遮音板４の設置状態を安定させて、遮音板４の落下防止機能を高めることができる。
【００２５】
板ばね３０はＶ字状をなし、相対向する一方の片３１で遮音板４ａ’に固定され、他方の片３２でＨ型支柱２のフランジ２２に弾性接触するようになっている。
【００２６】
こうすると、板ばね３０を遮音板４ａ’に容易に取り付けることができるとともに、遮音板４ａ’をＨ型支柱２の溝３に嵌め込む際の板ばね３０の引っかかりを防止できるので、遮音板４の設置作業性が向上する。
【００２７】
また、板ばね３０は、フランジ２２に接触する方の片３２の先端から延出し、遮音板４ａ’に固定される方の片３１に接触する補強部３３を有している。こうすると、板バネ３０の拡開する方向への弾性力を強め、遮音板４ａ’をフランジ２２へより強く圧着させることができる。
【００２８】
【発明の効果】
本発明に係る遮音壁によれば、遮音壁内部に形成された空間にワイヤーが配設されるので、このワイヤーを覆い隠すための付属品を遮音壁外部に取り付けることなく、遮音板落下防止と支柱回転防止を図ることができる。
【００２９】
請求項２によれば、既に設置されている笠木が取り付けられた従来の遮音壁において、最上段の遮音板を取り替えるだけで、笠木を取り付けることなく、遮音板落下防止と支柱回転防止を図ることができる。
【００３０】
請求項３によれば、遮音板の設置状態を安定させて、遮音板の落下防止機能を高めることができる。
【００３１】
請求項４によれば、板ばねを遮音板に容易に取り付けることができるとともに、遮音板をＨ型支柱の溝に嵌め込む際の板ばねの引っかかりを防止できるので、遮音板の設置作業性が向上する。
【００３２】
請求項５によれば、、上下方向の遮音板を連結して一体とすることで、遮音板の設置状態を安定させ、遮音板の落下防止機能を高めることができる。
【００３３】
請求項６によれば、遮音板にねじ込むだけで挿通部を簡単に設けることができる。
【図面の簡単な説明】
【図１】本発明にかかる遮音壁の具体例を示し、同遮音壁の最上段及び２段目に配置された遮音板を示す斜視図である。
【図２】同遮音壁最上段に配置された遮音板の縦断面図である。
【図３】同遮音壁の側面図である。
【図４】本発明にかかる遮音壁の他の具体例を示し、同遮音壁の最上段に配置された遮音板の要部を拡大して示す斜視図である。。
【図５】同遮音壁の側面図である。
【符号の説明】
１    遮音壁
２    Ｈ型支柱
３    溝
４    遮音板
４ａ  最上段に配置されている遮音板
５    ワイヤー溝
６    挿通孔
７    ワイヤー
８    ワイヤー挿通部
９    第２のワイヤー
１０  壁面
２１  ウェブ
２２  フランジ
３０  板ばね
３１  一方の片
３２  他方の片
４４  下側に配置される面
４５  嵌合部
４６  側方に配置される面
【図１】
0003899235.tif 000002
【図２】
0003899235.tif 000003
【図３】
0003899235.tif 000004
【図４】
0003899235.tif 000005
【図５】
0003899235.tif 000006